(57)【要約】【課題】非使用時に乗降通路を広く確保できる。【解決手段】キャビン１内に運転座席に隣接して配置される補助座席であって、運転座席から出入口５の間に形成された乗降通路７の側縁部で床面１０に設置された支持柱１２と、この支持柱１２の上端部に垂直軸心周りに回動自在に支持された旋回アーム１３と、この旋回アーム１３の遊端部に垂直軸心周りに回動自在に支持されて折り畳み自在な補助座具１５とを具備した。【選択図】図４
2008120477.tif 000002
【特許請求の範囲】
【請求項１】
産業車両のキャビンに、運転座席に隣接して配置される補助座席であって、
運転座席からキャビンの出入口の間の乗降通路の側縁部に、または乗降通路に隣接して立設配置された支持部材と、
この支持部材に垂直軸心周りに回動自在に支持された旋回アームと、
この旋回アームの遊端部に垂直軸心周りに回動自在に支持されて座面シートを上方に折り畳み自在な補助座具とを具備した
キャビン付補助座席。
【請求項２】
補助座具は、座受け部材上に立設固定された背もたれシートと、背もたれシートの下端部から水平方向に突出された座面シートからなり、
座面シートは水平方向の倒伏姿勢と座面シートに略平行な起立姿勢との間で折り畳み自在に構成された
請求項１記載のキャビン付補助座席。
【発明の詳細な説明】
【技術分野】
【０００１】
本発明は、産業車両のキャビンに設けられる補助座席に関する。
【背景技術】
【０００２】
たとえばフォークリフトやホイールローダ、クレーン、搬送車両などの大型の産業車両には、キャビン（操縦室）が設置されており、キャビン内には、運転座席に隣接して補助座席を設けることがある。この補助座席は、たとえば特許文献１に提案されており、特許文献１には、補助座席部の側辺部を前後方向の水平軸心周りに傾倒自在に構成し、補助シート部の下部に設けられたエンジンフードを開放可能とするものが開示されている。
【特許文献１】実開平６−３９８９５号公報
【発明の開示】
【発明が解決しようとする課題】
【０００３】
操作ハンドルや操作レバー、操作パネルなどと共に運転座席を装備したキャビンでは、余ったスペースを利用して補助座席を設置するが、このスペースは、たとえば運転座席と出入口との間の乗降通路である。この場合、乗降通路を利用するためには、補助座席を乗降通路から退避させる必要がある。たとえば乗降通路に、特許文献１の傾倒式の補助座席を設けた場合、背もたれ部と補助シート部とが一体に倒れるため、倒れる側にも十分なスペースが必要で、また補助シートの一部が乗降通路内に残り、乗降通路を十分に確保できないという問題があった。
【０００４】
本発明は上記問題点を解決して、非使用時に乗降通路を広く確保できるキャビン付補助座席を提供することを目的とする。
【課題を解決するための手段】
【０００５】
請求項１記載の発明は、産業車両のキャビンに、運転座席に隣接して配置される補助座席であって、運転座席からキャビンの出入口の間の乗降通路の側縁部に、または乗降通路に隣接して設置された支持部材と、この支持部材に垂直軸心周りに回動自在に支持された旋回アームと、この旋回アームの遊端部に垂直軸心周りに回動自在に支持されて座面シートを上方に折り畳み自在な補助座具とを具備したものである。
【０００６】
請求項２記載のキャビン付補助座席は、請求項１の構成において、補助座具は、座受け部材上に立設固定された背もたれシートと、背もたれシートの下端部から水平方向に突出された座面シートからなり、座面シートは水平方向の倒伏姿勢と座面シートに略平行な起立姿勢との間で折り畳み自在に構成されたものである。
【発明の効果】
【０００７】
請求項１記載の発明によれば、補助座席を使用する場合には、旋回アームを回動してその遊端部を乗降通路の側縁部から中央部に引き出し、補助座具を展開して使用することができる。また乗降通路を使用する場合や補助座席を使用しない場合には、補助座具を折り畳み、旋回アームを乗降通路の側縁部に回動して補助座具を乗降通路の中央部から退避させることができる。したがって、補助座具を旋回アームの旋回半径に沿って出退させるとともに補助座具を回動させることにより、補助座席を乗降通路の中央部と側縁部との間で容易に出し入れすることができ、乗降通路を広く確保することができてキャビン内の空間を有効利用することができる。
【発明を実施するための最良の形態】
【０００８】
以下、本発明の実施の形態を図面に基づいて説明する。
［実施の形態１］
本発明に係るキャビン付補助座席を図１〜図３を参照して説明する。
【０００９】
図３に示すように、大型のフォークリフト２１は、前部の操舵輪２２と後部の駆動輪２３を有する車体２４を具備し、この車体２４の前部に伸縮自在なマスト装置２５が配置され、このマスト装置２５にコンテナＣの保持具２６が昇降自在に支持されている。
【００１０】
車体２４上にはキャビン支持台２７を介してキャビン（操縦室）１が設置され、キャビン１に出入するために、車体２４からキャビン１の後部のプラットホーム２８に乗降階段２９が掛け渡されている。
【００１１】
図１，図２に示すように、キャビン１は、屋根パネルと、ガラス窓をそれぞれ有する前後壁パネル１Ｆ，１Ｂと左右側壁パネル１Ｌ，１Ｒとで平面視が矩形断面に形成され、運転座席２と、この運転座席２の前部に配置された操作壁パネル３や操作ハンドル８、操作ペダル４などがそれぞれ設けられている。キャビン１の後壁パネル１Ｂで運転座席２の左後方部に出入口５が形成され、出入口５に開閉ドア６がヒンジを介して開閉自在に取り付けられており、運転座席２からその左側を経て出入口５までの間が乗降通路７に構成されている。
【００１２】
乗降通路７に配置された本発明に係る補助座席１１は、図４に示すように、乗降通路７の右縁部（外縁部）の床面１０でキャビン１の左側壁パネル１Ｌに接近して円筒の支柱筒（支柱部材）１２が立設固定されている。そして、この支柱筒１２の上端開口部に、平板状の旋回アーム１３の基端部下面に突設された基端軸１３ａが嵌合されて平板状の旋回アーム１３が垂直軸心周りに回動自在に支持されている。さらに、旋回アーム１３の遊端部上面に遊端受け筒１３ｂが立設されており、この受け筒部１３ｂに補助座具１４が垂直軸心周りに回動自在に支持されている。なお、旋回アーム１３の基端軸１３ａ中心から受け筒部１３ｂ中心までの距離Ｒが補助座具１４の旋回半径となる。
【００１３】
補助座具１４は、受け筒部１３ｂに回転自在に嵌合される回転軸部１５ａを下面に有する座受け部材１５と、この座受け部材１５上に立設固定された背もたれシート１６と、座受け部材１５上で背もたれシート１６の前部に折り畳み（回動）自在に取り付けられた座面シート１７とで構成されている。この座面シート１７は、基端部が座受け部材１５に水平軸心周りに回動自在に支持され、図４（ｃ）の水平方向前方に伸びる倒伏姿勢の使用位置と、図４（ｂ）の背もたれシート１６に略平行な起立姿勢の収容位置との間で折り畳み自在に構成されている。
【００１４】
また、支柱筒１２と基端軸１３ａの間、受け筒部１３ｂと回転軸部１５ａの間に、回動アーム１３および座受け部材１５をそれぞれ所定位置で固定、解除自在なピンロック装置やクランプ装置を設けてもよい。
【００１５】
したがって、乗降通路７を使用する場合や補助座席１１の非使用時には、図２，図４（ｂ）に示すように、座面シート１７が起立された収容位置とし、旋回アーム１３が左側壁パネル１Ｌに沿う位置に回動されるとともに補助座具１４を補助座具１５を左側壁パネル１Ｌに沿わせるように回動して、乗降通路７から退避される。
【００１６】
補助座席１１を使用する場合には、図１，図４（ｃ）に示すように、旋回アーム１３を回動させて補助座具１４を乗降通路７側に旋回移動させ、さらに座面シート１７を倒伏して使用位置に展開し、補助座具１４を回動して座面シート１７を前方に向ければよい。
【００１７】
上記補助座席１１によれば、補助座具１４を、旋回アーム１３の長さＲを半径とした円弧ｍ上に沿って旋回移動させて乗降通路７の中央部と側縁部との間で出退移動させるとともに、補助座具１４を回転軸部１５ａを中心に回動させて左パネル１Ｌに沿う方向に向けることができるので、乗降通路７を使用する際や補助座席１１の非使用時に、乗降通路７を広く確保してキャビン１内の空間を有効利用することができる。また、補助座具１４の旋回移動作業と補助座具１４の回転および折り畳み作業により、簡単に短時間で補助座具１４を出退させることができる。
【００１８】
なお、実施の形態１では、出入口５を後壁パネル１Ｂに形成したが、左右の側壁パネル１Ｌ，１Ｒであってもよい。また支柱筒１２を床面１０に立設固定したが、図５に示すように、支柱筒１２に代えて支持部材３１を左側壁パネル１Ｌに取り付けて旋回アーム１３を支持するようにしてもよい。
【図面の簡単な説明】
【００１９】
【図１】本発明に係るキャビン付補助座席の実施の形態１を示し、補助座席の使用状態の平面視の断面図である。
【図２】補助座席の非使用状態の平面視の断面図である。
【図３】キャビンを有するフォークリフトの側面図である。
【図４】補助座席を示す斜視図で、（ａ）は分解斜視図、（ｂ）は非使用状態、（ｃ）は使用状態を示す。
【図５】実施の形態１の変形例を示し、キャビン付補助座席の平面図である。
【符号の説明】
【００２０】
１    キャビン
１Ｂ  後面壁
１Ｌ  左側面壁
２    運転座席
５    出入口
６    開閉ドア
７    乗降通路
１０    床面
１１    補助座席
１２    支柱筒（支柱部材）
１３    旋回アーム
１３ａ  基端軸部
１３ｂ  遊端受け筒
１４    補助座具
１５    座受け部材
１５ａ  回転軸部
１６    背もたれシート
１７    座面シート
２１    フォークリフト
３１    支持部材
【図１】
2008120477.tif 000003
【図２】
2008120477.tif 000004
【図３】
2008120477.tif 000005
【図４】
2008120477.tif 000006
【図５】
2008120477.tif 000007